(57)【要約】【課題】ソケットの端子を有する突起部材の破損を抑制する電子機器を提供する。【解決手段】電子機器１は、筐体１０と、第１コネクタ５１及び第２コネクタ５２と接続可能な第１端子２２０を有する第１突起部材２１０、及び第２コネクタ５２と接続可能な第２端子２４０を有する第２突起部材２３０を有し、かつ、第１突起部材２１０及び第２突起部材２３０の周囲、及び第１突起部材２１０と第２突起部材２３０との間に１つの凹部２５０を有し、筐体１０内に配置されたソケット２０と、第１突起部材２１０と嵌合した第１コネクタ５１が、第２突起部材２３０側に傾斜するのを抑制する為の傾斜抑制部材３０と、を有する。【選択図】図２
2019087449.tif 000002
【特許請求の範囲】
【請求項１】
筐体と、
第１コネクタ及び第２コネクタと接続可能な第１端子を有する第１突起部材、及び前記第２コネクタと接続可能な第２端子を有する第２突起部材を有し、かつ、前記第１突起部材及び前記第２突起部材の周囲、及び前記第１突起部材と前記第２突起部材との間に１つの凹部を有し、前記筐体内に配置されたソケットと、
前記第１突起部材と嵌合した前記第１コネクタが、前記第２突起部材側に傾斜するのを抑制する為の傾斜抑制部材と、
を有することを特徴とする電子機器。
【請求項２】
前記筐体は、前記凹部を外部に露出する為の開口部を有し、
前記傾斜抑制部材は、前記開口部において、少なくとも前記第２突起部材の前面を開閉する開閉部材であって、前記開閉部材は前記第１コネクタが前記第２突起部材側に傾斜した場合に前記第１コネクタに当接する当接部を含む、請求項１に記載の電子機器。
【請求項３】
前記筐体は、前記凹部を外部に露出する為の開口部を有し、
前記傾斜抑制部材は、前記開口部における前記ソケットの開口領域を減少させる為に、前記ソケットを前記筐体に対して移動させる移動機構である、請求項１に記載の電子機器。
【請求項４】
前記傾斜抑制部材は、前記第１突起部材及び前記第２突起部材の間の凹部の前面を覆う蓋部材であって、前記蓋部材は前記第１コネクタが前記第２突起部材側に傾斜した場合に前記第１コネクタに当接する当接部を含む、請求項１に記載の電子機器。
【請求項５】
前記傾斜抑制部材は、前記第１コネクタを、前記第２突起部材側から前記第１突起部材側に向けて押圧する押圧部材であって、前記押圧部材は前記第１コネクタに当接する当接部を含む、請求項１に記載の電子機器。
【請求項６】
前記傾斜抑制部材は、前記凹部内で、前記第２突起部材の周囲に配置されたスペーサであって、前記スペーサは前記第１コネクタが前記第２突起部材側に傾斜した場合に前記第１コネクタに当接する当接部を含む、請求項１に記載の電子機器。
【発明の詳細な説明】
【技術分野】
【０００１】
本発明は、電子機器に関する。
【背景技術】
【０００２】
電子機器を他の電子機器又は周辺機器と有線で接続する為の通信規格が多種存在する。通信規格においてコネクタ（プラグ：差し込む側）及びソケット（レセプタクル：差し込まれる側）の形状が定められており、通信規格をバージョンアップする際には従来のコネクタ及びソケットとの互換性を有することが好ましい。ＵＳＢ（Universal Serial Bus）２．０のコネクタ及びソケットとの互換性を考慮してソケットの形状を定めた規格の一例として、ＵＳＢ３．０がある。
【０００３】
非特許文献１には、ＵＳＢ３．０規格のType-B（Standard-B）のソケットの形状が開示されている。ＵＳＢ３．０規格のType-B準拠のソケットは、ＵＳＢ２．０規格準拠のコネクタを接続してＵＳＢ２．０規格で通信する為のＵＳＢ２．０規格用の端子を有する突起部材と、ＵＳＢ３．０規格で追加された端子を有する突起部材とを備えている。
【先行技術文献】
【非特許文献】
【０００４】
【非特許文献１】アイティメディア株式会社、“Windows Insider用語解説：USB 3.0（Universal Serial Bus 3.0）”、[online］、平成２１年６月８日付、[平成２９年１０月１０日検索]、インターネット＜ＵＲＬ：http://www.atmarkit.co.jp/ait/articles/0906/08/news109.html＞
【発明の概要】
【発明が解決しようとする課題】
【０００５】
ＵＳＢ３．０規格のType-B準拠のソケットにＵＳＢ２．０規格準拠のコネクタを差し込んだとき、ＵＳＢ３．０規格で追加された端子には何も接続されない為、ＵＳＢ３．０規格で追加された端子を有する突起部材の周辺には空間が存在する。この為、差し込んだＵＳＢ２．０規格準拠のコネクタにＵＳＢ３．０規格で追加された端子を有する突起部材側に側への力が加わると、ＵＳＢ２．０規格用の端子を有する突起部材に力がかかり、ＵＳＢ２．０規格用の端子を有する突起部材が破損することがある。
【０００６】
本発明の目的は、ソケットの端子を有する突起部材の破損を防止することを可能とする電子機器を提供することにある。
【課題を解決するための手段】
【０００７】
本実施形態の一側面に係る電子機器は、筐体と、第１コネクタ及び第２コネクタと接続可能な第１端子を有する第１突起部材、及び第２コネクタと接続可能な第２端子を有する第２突起部材を有し、かつ、第１突起部材及び第２突起部材の周囲、及び第１突起部材と第２突起部材との間に１つの凹部を有し、筐体に配置されたソケットと、第１突起部材と嵌合した第１コネクタが、第２突起部材側に傾斜するのを抑制する為の傾斜抑制部材と、を有する。
【発明の効果】
【０００８】
本発明による電子機器は、ソケットの端子を有する突起部材の破損を防止することができる。
【図面の簡単な説明】
【０００９】
【図１】（Ａ）は電子機器１の一例を示す斜視図であり、（Ｂ）は開口部１１０付近の拡大図であり、（Ｃ）は電子機器１のＡ−Ａ´断面の一例を示す断面図である。
【図２】（Ａ）はソケット２０に第２コネクタ５２が差し込まれた状態の一例を示す断面図であり、（Ｂ）、（Ｃ）はソケット２０に第１コネクタ５１が差し込まれた状態の一例を示す断面図である。
【図３】（Ａ）及び（Ｂ）は第１変形例に係る傾斜抑制部材の他の例を示す図である。
【図４】第２変形例に係る傾斜抑制部材の他の例を示す図である。
【図５】（Ａ）及び（Ｂ）は第３変形例に係る傾斜抑制部材の他の例を示す図である。
【図６】第４変形例に係る傾斜抑制部材の他の例を示す図である。
【図７】（Ａ）は第５変形例に係る電子機器の他の例を示す斜視図であり、（Ｂ）は移動機構３２０の一例を示す斜視図である。
【図８】（Ａ）及び（Ｂ）は第５変形例に係る移動機構３２０を説明する為の図である。
【図９】（Ａ）は第６変形例に係る傾斜抑制部材の他の例を示す図であり、（Ｂ）は第７変形例に係る傾斜抑制部材の他の例を示す図であり、（Ｃ）は第８変形例に係る傾斜抑制部材の他の例を示す図である。
【図１０】（Ａ）は第９変形例に係る傾斜抑制部材の他の例を示す図であり、（Ｂ）は第９変形例に係る電子機器の他の例を示す図であり、（Ｃ）は第１０変形例に係る傾斜抑制部材の他の例を示す図である。
【発明を実施するための形態】
【００１０】
以下、実施形態に係る電子機器について図を参照しつつ説明する。但し、本発明の技術的範囲はそれらの実施の形態に限定されず、特許請求の範囲に記載された発明とその均等物に及ぶ点に留意されたい。
【００１１】
＜第１実施形態＞
図１（Ａ）は電子機器１の一例を示す斜視図（電子機器１の背面を斜め上方から見た図）であり、図１（Ｂ）は開口部１１０付近の拡大図であり、図１（Ｃ）は電子機器１のＡ−Ａ´断面の一例を示す断面図である。
【００１２】
図１（Ａ）に示す様に、電子機器１は、筐体１０及びソケット２０等を有している。本実施形態ではスキャナを例として、スキャナをパーソナルコンピュータ等と接続する為のソケット２０及びその周辺の構成を中心に説明する。ソケット２０は筐体１０の内部に配置され、筐体１０はソケット２０の前面を外部に露出する為の開口部１１０を有している。図１（Ａ）は、後述する開閉部材３１０を開とした状態を示している。
【００１３】
図１（Ｂ）に示す様に、ソケット２０は、ＵＳＢ２．０規格用の端子である第１端子２２０を有する第１突起部材２１０と、ＵＳＢ３．０規格で追加された端子である第２端子２４０を有する第２突起部材２３０とを有している。ソケット２０は、ＵＳＢ３．０規格のType-B準拠のソケットであり、電子機器１内部の電子部品と接続される。枠部材２６０は第１突起部材２１０及び第２突起部材２３０の周囲を囲い、枠部材２６０により、第１突起部材２１０及び第２突起部材２３０の周囲、及び第１突起部材２１０と第２突起部材２３０との間には凹部２５０が形成されることとなる。ソケット２０は筐体１０内に配置された電子回路基板４０に固定され、電子回路基板４０は不図示のネジ等で筐体１０に固定されている。
【００１４】
図１（Ｃ）に示す様に、筐体１０の開口部１１０には、傾斜抑制部材３０の一例である開閉部材３１０が取り付けられている。開閉部材３１０は、筐体１０の開口部１１０において少なくとも第２突起部材２３０の前面を開閉する部材である。開閉部材３１０は、筐体１０の内側に沿って上下方向（ｚ方向）に移動可能に、筐体の内側に取り付けられている。開閉部材３１０の上端には筐体１０の内側に向かって突出する凸部３１０Ａを有し、開閉部材３１０の下端には後述する当接部３１０Ｃを有している。
【００１５】
筐体１０の内部には、開閉部材３１０が上下方向に移動する際にその間を摺動する為の溝部１２０が形成されている。溝部１２０の内側には第１凹部１３０、第２凹部１４０及び第３凹部１５０が形成され、各凹部は開閉部材３１０の凸部３１０Ａと嵌合可能である。
【００１６】
図２（Ａ）はソケット２０に第２コネクタ５２が差し込まれた状態の一例を示す断面図であり、図２（Ｂ）、図２（Ｃ）はソケット２０に第１コネクタ５１が差し込まれた状態の一例を示す断面図である。
【００１７】
第１コネクタ５１は、ＵＳＢ２．０規格のType-B準拠のコネクタである。第１コネクタ５１は、ソケット２０の第１突起部材２１０と嵌合し、第１端子２２０と接続可能であるが、第２突起部材２３０とは嵌合せず、第２端子２４０とは接続しない。第１コネクタ５１は、ソケット２０の内部に差し込まれる差込部５１１、第１コネクタ５１をソケット２０に抜き差しする際にユーザが掴む把持部５１２等を有している。把持部５１２は差込部５１１より太く形成されている。
【００１８】
第２コネクタ５２は、ＵＳＢ３．０規格のType-B準拠のコネクタであり、ソケット２０の第１突起部材２１０及び第２突起部材２３０と嵌合し、第１端子２２０及び第２端子２４０と接続可能である。第２コネクタ５２は、ソケット２０の内部に差し込まれる差込部５２１、第２コネクタ５２をソケット２０に抜き差しする際にユーザが掴む把持部５２２等を有している。把持部５２２は差込部５２１より太く形成されている。
【００１９】
図２（Ａ）に示す様に、第２コネクタ５２をソケット２０に差し込む場合、電子機器１のユーザは開閉部材３１０を上方向に移動することによりソケット２０の凹部２５０の前面を外部に露出させる。第２コネクタ５２をソケット２０に差し込むことにより、第２コネクタ５２はソケット２０の第１突起部材２１０及び第２突起部材２３０と嵌合する。第２コネクタ５２をソケット２０に差し込んだ際に、第２コネクタ５２の把持部５２２に第２突起部材２３０側（図中のｚ方向）への力が加わっても、第１突起部材２１０及び第２突起部材２３０が破損することはない。枠部材２６０全体により、第２コネクタ５２の第２突起部材２３０側（図中のｚ方向）への移動が制限されているからである。
【００２０】
図２（Ｂ）に示す様に、第１コネクタ５１をソケット２０に差し込む場合、第１コネクタ５１はソケット２０の第１突起部材２１０と嵌合するが、第２突起部材２３０とは嵌合しない。第１コネクタ５１の差込部５１１の上面は、ソケット２０の凹部２５０の上面とも、第２突起部材２３０の下面とも接しない。第１コネクタ５１をソケット２０に差し込んだ場合、第１コネクタ５１の把持部５１２に第２突起部材２３０側への力が加わると、第１コネクタ５１が第１突起部材２１０と嵌合したまま、第２突起部材２３０側へ移動してしまう為、第１突起部材２１０が破損してしまう可能性がある。この様な破損を防止する為、本発明に係る電子機器１は、開閉部材３１０を第１コネクタ５１の傾斜抑制部材として備えている。
【００２１】
図２（Ｃ）に示す様に、第１コネクタ５１を使用する場合、開閉部材３１０を下方に移動し、凸部３１０Ａを筐体１０の内側の第２凹部１４０に嵌合させて、開閉部材３１０を筐体１０に対して係止させる。第１コネクタ５１の把持部５１２に上方向への力が加わり第１コネクタ５１が第２突起部材２３０側に傾斜しようとしても、開閉部材３１０の当接部３１０Ｃが第１コネクタ５１に当接し、それ以上第１コネクタ５１を傾斜させない。したがって、第１突起部材２１０の根本に大きな力がかからず、破損が防止できる。
【００２２】
第１コネクタ５１が正常に差し込まれた場合に、開閉部材３１０の当接部３１０Ｃの位置は、第１コネクタ５１の把持部５１２に当接していても、第１コネクタ５１の把持部５１２から少しだけ離れていてもよい。なお、当接部３１０Ｃを第１コネクタ５１に当接する様に位置決めした場合には、当接部３１０Ｃ及び第１コネクタ５１がソケット２０の開口領域を塞ぐことになり更にソケット２０内に塵が入ることを防止する効果が高まる。
【００２３】
＜第１変形例＞
図３（Ａ）及び図３（Ｂ）は第１変形例に係る傾斜抑制部材の他の例を示す図である。本変形例では、図２に示した開閉部材３１０の代わりに、筐体１０に対して回転可能な開閉部材３１１を傾斜抑制部材として有する点で第１実施形態と異なる。第１変形例の説明において、第１実施形態と同一の構成要素については同一の符号を付し、説明を省略する。
【００２４】
開閉部材３１１は、回転軸３１１Ｂと当接部３１１Ｃとを有している。回転軸３１１Ｂは、筐体１０の開口部１１０の上端近傍に取り付けられ、筐体１０の横方向（図中のｙ方向）に延在する。
【００２５】
図３（Ａ）に示す様に、第１コネクタ５１を開口部１１０に挿入してソケット２０に差し込んだ際には、開閉部材３１１の当接部３１１Ｃが、第１コネクタ５１の把持部５１２の直上に配置される様に開閉部材３１１が筐体１０に取り付けられている。この状態において、第１コネクタ５１の把持部５１２に上向きの力が加わって、第１コネクタ５１が第２突起部材２３０側に傾斜しようとしても、開閉部材３１１の当接部３１１Ｃが把持部５１２を支える為、第１コネクタ５１の傾斜が抑制される。したがって、第１突起部材２１０の根本に大きな力がかからず、破損が防止できる。
【００２６】
図３（Ｂ）に示す様に、ユーザが第２コネクタ５２を利用する際には、最初に開閉部材３１１の当接部３１１Ｃを筐体１０の外部に引き出す。これによって、開閉部材３１１は回転軸３１１Ｂを中心に回転し、筐体１０の開口部１１０が完全に開く。ユーザは、第２コネクタ５２を完全に開いた開口部１１０に挿入し、ソケット２０に差し込んで、第２コネクタ５２の接続動作を完了することになる。
【００２７】
第１コネクタ５１をソケット２０に差し込む際に、ユーザは、開閉部材３１１を図３（Ａ）の位置においたまま第１コネクタ５１を差し込んでも、開閉部材３１１を筐体１０の外部に引き出してから差し込んでもよい。
【００２８】
＜第２変形例＞
図４は第２変形例に係る傾斜抑制部材の他の例を示す図である。第２変形例では、図２に示した開閉部材３１０の代わりに、筐体１０の内部に移動できる開閉部材３１２を傾斜抑制部材として有する点で第１実施形態と異なる。第２変形例の説明において、第１実施形態と同一の構成要素については同一の符号を付し、説明を省略する。
【００２９】
開閉部材３１２は、回転軸３１２Ｂと当接部３１２Ｃとを有している。開閉部材３１２が開口部１１０の一部を覆っている状態で、ユーザが第２コネクタ５２を筐体１０の開口部１１０に挿入すると、開閉部材３１２は第２コネクタ５２により押し込まれ、筐体１０の内部に入る様に回転軸３１２Ｂを中心として回転する。回転した開閉部材３１２は、第２コネクタ５２のソケット２０への差し込みに支障のない位置に移動する。ユーザは、第２コネクタ５２をソケット２０に差し込んで、第２コネクタ５２の接続動作を完了することになる。この為、第２変形例に係る電子機器１を使用するユーザは、開閉部材３１２の移動と第２コネクタ５２のソケット２０への差し込みとを１つの動作で行うことができる。
【００３０】
一方、第１コネクタ５１を筐体１０の開口部１１０に挿入する場合には、開閉部材３１２はそのままで（筐体１０の内部に入る様に回転せず）、第１コネクタ５１を開口部１１０に挿入する。その状態で、開閉部材３１２の当接部３１２Ｃが第１コネクタ５１の把持部５１２に当接する。第１コネクタ５１の把持部５１２に上向きの力が加わって、第１コネクタ５１が第２突起部材２３０側に傾斜しようとしても、開閉部材３１２の当接部３１２Ｃが把持部５１２を支える為、第１コネクタ５１の傾斜が抑制される。したがって、第１突起部材２１０の根本に大きな力がかからず、破損が防止できる。
【００３１】
第１コネクタ５１をソケット２０に差し込む際に、ユーザは、開閉部材３１２を図４の位置においたまま第１コネクタ５１を差し込んでも、開閉部材３１２を回転させてから差し込んでもよい。
【００３２】
＜第３変形例＞
図５（Ａ）、図５（Ｂ）は第３変形例に係る傾斜抑制部材の他の例を示す図である。第３変形例では、図２に示した開閉部材３１０の代わりに、図中のｘ−ｚ平面上において円柱の一部を直線で切り取った形状を有する開閉部材３１３を傾斜抑制部材として有する点で第１実施形態と異なる。第３変形例の説明において、第１実施形態と同一の構成要素については同一の符号を付し、説明を省略する。
【００３３】
開閉部材３１３は、回転軸３１３Ｂと当接部３１３Ｃとを有している。開閉部材３１３の図中のｘ−ｚ平面上における外形は、円弧からなる曲線部分（当接部３１３Ｃ）と、曲線部分の両端を結ぶ直線部分から成る。回転軸３１３Ｂは、円弧を含む円の中心を通る軸であって、筐体１０の所定の箇所（不図示）に固定されている。また、通常の状態で開閉部材３１３は図５（Ａ）の状態にある。
【００３４】
図５（Ａ）に示す様に、第１コネクタ５１をソケット２０に差し込んだ場合、当接部３１３Ｃが第１コネクタ５１の把持部５１２に当接する。この状態において、第１コネクタ５１の把持部５１２に上向きの力が加わって、第１コネクタ５１が第２突起部材２３０側に傾斜しようとしても、開閉部材３１３の当接部３１３Ｃが把持部５１２を支える為、第１コネクタ５１の傾斜が抑制される。したがって、第１突起部材２１０の根本に大きな力がかからず、破損が防止できる。
【００３５】
第１コネクタ５１をソケット２０に差し込む際に、ユーザは、開閉部材３１３の当接部３１３Ｃが第１突起部材２１０側を向く状態で第１コネクタ５１を差し込んでも、直線部分が第１突起部材２１０側を向く状態で第１コネクタ５１を差し込んでもよい。
【００３６】
図５（Ｂ）に示す様に、第２コネクタ５２をソケット２０に差し込む場合、ユーザは、最初に、開閉部材３１３の直線部分がソケット２０の第１突起部材２１０側を向く様に開閉部材３１３を回転させる。回転により開口部１１０にできた空間を介して第２コネクタ５２をソケット２０に差し込み、第２コネクタ５２の接続動作を完了することになる。
【００３７】
＜第４変形例＞
図６は第４変形例に係る傾斜抑制部材の他の例を示す図である。第４変形例では、図２に示した開閉部材３１０の代わりに、扇状の形状を有する開閉部材３１４を傾斜抑制部材として有する点で第１実施形態と異なる。第４変形例の説明において、第１実施形態と同一の構成要素については同一の符号を付し、説明を省略する。
【００３８】
開閉部材３１４は、回転軸３１４Ｂと当接部３１４Ｃとを有している。開閉部材３１４の図中のｙ−ｚ平面上における外形は、円弧からなる曲線部分（当接部３１４Ｃ）と、回転軸３１４Ｂと円弧とを結ぶ２つの直線部分から成る。回転軸３１４Ｂは、円弧を含む円の中心を通る軸に相当している。
【００３９】
回転軸３１４Ｂは電子機器１の開口部１１０に直交（回転軸がｘ方向に延在）する様に筐体１０に取り付けられ、開閉部材３１４は回転軸３１４Ｂを中心として筐体１０に沿って回転する。
【００４０】
開閉部材３１４が図６の実線で示す状態において第１コネクタ５１をソケット２０に差し込んだ場合、当接部３１４Ｃが第１コネクタ５１の把持部５１２の直上に配置される様に開閉部材３１４が筐体１０に取り付られている。この状態において、第１コネクタ５１の把持部５１２に上向きの力が加わって、第１コネクタ５１が第２突起部材２３０側に傾斜しようとしても、開閉部材３１４の当接部３１４Ｃが把持部５１２を支える為、第１コネクタ５１の傾斜が抑制される。したがって、第１突起部材２１０の根本に大きな力がかからず、破損が防止できる。
【００４１】
一方、第２コネクタ５２をソケット２０に差し込む場合、ユーザは、開閉部材３１４の当接部３１４Ｃが筐体１０の開口部１１０の反対側を向く様に開閉部材３１４を回転させる（図６の開閉部材３１４の点線部参照）。回転により開口部１１０にできた空間を介して第２コネクタ５２をソケット２０に差し込み、第２コネクタ５２の接続動作を完了することになる。
【００４２】
第１コネクタ５１をソケット２０に差し込む際に、ユーザは、開閉部材３１４の当接部３１４Ｃが第１突起部材２１０側を向く状態で第１コネクタ５１を差し込んでも、筐体１０の開口部１１０の反対側を向く状態で第１コネクタ５１を差し込んでもよい。
【００４３】
＜第５変形例＞
図７（Ａ）は第５変形例に係る電子機器の他の例を示す斜視図（電子機器１Ａの背面を斜め上方から見た図）であり、図７（Ｂ）は移動機構３２０の一例を示す斜視図であり、図８（Ａ）及び図８（Ｂ）は第５変形例に係る移動機構３２０を説明する為の図である。第５変形例は、ソケット２０が、他の開口部１６０を更に有する筐体１０Ａの開口部１１０を介して外部に露出する領域を拡大又は減少させる点で第１実施形態と異なる。第５変形例の説明において、第１実施形態と同一の構成要素については同一の符号を付し、説明を省略する。
【００４４】
第５変形例において、図７（Ｂ）に示す様に、ソケット２０は、移動機構３２０によって上下方向に移動可能なソケット用基板４０Ａに取り付けられている。移動機構３２０は、把手部３２１及び移動面３２２を有する三角柱状の形状を有している。図７（Ａ）に示す様に、把手部３２１は筐体１０Ａの他の開口部１６０から外部に露出しており、ユーザは筐体１０Ａの外部から把手部３２１を左右方向に移動させることが可能である。把手部３２１を左右方向に移動させることによって、移動機構３２０を左右方向に移動させ、移動機構３２０の移動に伴って移動面３２２に沿ってソケット用基板４０Ａが上下方向に移動する。なお、ソケット用基板４０Ａの一方の端部は移動面３２２に沿って、他方の端部は、筐体１０Ａに固定された固定板３７０に沿って移動できる様に構成されている。
【００４５】
図８（Ａ）に示す様に、把手部３２１が他の開口部１６０の図中の最も左側にある時、ソケット２０の前面全体が筐体１０Ａの開口部１１０から外部に露出する様に、移動機構３２０とソケット用基板４０Ａの位置関係が定められている。この状態で、ユーザは第２コネクタ５２をソケット２０に差し込む。
【００４６】
図８（Ｂ）に示す様に、把手部３２１が他の開口部１６０の図中の最も右側にある時、ソケット２０の前面の内第１突起部材２１０の部分のみが筐体１０Ａの開口部１１０から外部に露出する様に移動機構３２０とソケット用基板４０Ａの位置関係が定められている。この状態で、ユーザは第１コネクタ５１をソケット２０に差し込む。
【００４７】
図８（Ｂ）の状態で、ソケット２０に差し込まれた第１コネクタ５１が第２突起部材２３０側に傾斜しようとしても、筐体１０Ａの開口部１１０の上方にある部分が第１コネクタ５１に当接し、それ以上第１コネクタ５１を傾斜させない。すなわち、筐体１０Ａの開口部１１０の端部が傾斜抑制部材として機能することになる。したがって、第１突起部材２１０の根本に大きな力がかからず、破損が防止できる。
【００４８】
＜第６変形例＞
図９（Ａ）は第６変形例に係る傾斜抑制部材の他の例を示す図である。第６変形例は、傾斜抑制部材である開閉部材が押圧部材として動作する様に圧縮ばね３３１を備える点で第１実施形態と異なる。第６変形例の説明において、第１実施形態と同一の構成要素については同一の符号を付し、説明を省略する。
【００４９】
第６変形例において、図９（Ａ）に示す様に、筐体１０に設けられた固定板３７１の下方に圧縮ばね３３１が取り付けられ、圧縮ばね３３１の下方且つ筐体１０の側面と背面板３７４との間に、開閉部材３１５が取り付けられている。圧縮ばね３３１は、ソケット２０に差し込まれた第１コネクタ５１が上方に傾斜しようとする時に、第１コネクタ５１と当接する開閉部材３１５を上方から押圧する様に、固定板３７１に取り付けられている。
【００５０】
図９（Ａ）に示す様に、第１コネクタ５１をソケット２０に差し込んだ場合、第１コネクタ５１の把持部５１２に上向きの力が加わって、第１コネクタ５１が第２突起部材２３０側に傾斜しようとすると、開閉部材３１５の当接部３１５Ｃが把持部５１２を押圧する。この為、第１コネクタ５１の傾斜が抑制され、第１突起部材２１０の根本に大きな力がかからず、破損が防止できる。
【００５１】
第２コネクタ５２をソケット２０に差し込む場合、第２コネクタ５２の把持部５２２により開閉部材３１５の当接部３１５Ｃを下方から上方に向けて押し上げながら第２コネクタ５２をソケット２０に差し込む。
【００５２】
第１コネクタ５１がソケット２０に正常に差し込まれている時に、圧縮ばね３３１は、開閉部材３１５を押圧しなくても、軽く押圧してもよい。また、圧縮ばね３３１に代えて、ゴム部材などの弾性力のある部材を使用してもよい。
【００５３】
＜第７変形例＞
図９（Ｂ）は第７変形例に係る傾斜抑制部材の他の例を示す図である。第７変形例は、傾斜抑制部材である開閉部材が押圧部材として動作する様に板ばね３３２を備える点で第１実施形態と異なる。第７変形例の説明において、第１実施形態と同一の構成要素については同一の符号を付し、説明を省略する。
【００５４】
第７変形例において、図９（Ｂ）に示す様に、筐体１０に設けられた固定板３７２の下方に板ばね３３２が取り付けられ、板ばね３３２の下方且つ筐体１０の側面と背面板３７４との間に開閉部材３１６が取り付けられている。板ばね３３２は、ソケット２０に差し込まれた第１コネクタ５１が上方に傾斜しようとする時に、第１コネクタ５１と当接する開閉部材３１６を上方から押圧する様に、固定板３７２に取り付けられている。
【００５５】
図９（Ｂ）に示す様に、第１コネクタ５１をソケット２０に差し込んだ場合、第１コネクタ５１の把持部５１２に上向きの力が加わって、第１コネクタ５１が第２突起部材２３０側に傾斜しようとすると、開閉部材３１６の当接部３１６Ｃが把持部５１２を押圧する。この為、第１コネクタ５１の傾斜が抑制され、第１突起部材２１０の根本に大きな力がかからず、破損が防止できる。
【００５６】
第２コネクタ５２をソケット２０に差し込む場合、第２コネクタ５２の把持部５２２により開閉部材３１６の当接部３１６Ｃを下方から上方に向けて押し上げながら、第２コネクタ５２をソケット２０に差し込む。
【００５７】
第１コネクタ５１がソケット２０に正常に差し込まれている時に、板ばね３３２は、開閉部材３１６を押圧しなくても、軽く押圧してもよい。また、板ばね３３２に代えて、ねじりコイルばねなど他の種類のばねを使用してもよい。
【００５８】
＜第８変形例＞
図９（Ｃ）は第８変形例に係る傾斜抑制部材の他の例を示す図である。第８変形例は、傾斜抑制部材である開閉部材が押圧部材として動作する様に磁石３３３及び磁石３３３Ａを備える点で第１実施形態と異なる。第８変形例の説明において、第１実施形態と同一の構成要素については同一の符号を付し、説明を省略する。
【００５９】
第８変形例において、図９（Ｃ）に示す様に、磁石３３３が開閉部材３１７に固定され、磁石３３３と同じ極性を有する磁石３３３Ａが開閉部材３１７の上方で筐体１０に固定されている。開閉部材３１７は、筐体１０の側面と背面板３７４との間に取り付けられている。磁石３３３及び磁石３３３Ａは同じ極性を有しているので、ソケット２０に差し込まれた第１コネクタ５１が上方に傾斜しようとする時に、第１コネクタ５１と当接する開閉部材３１７を上方から押圧する様に反発し合う。
【００６０】
図９（Ｃ）に示す様に、第１コネクタ５１をソケット２０に差し込んだ場合、第１コネクタ５１の把持部５１２に上向きの力が加わって、第１コネクタ５１が第２突起部材２３０側に傾斜しようとすると、開閉部材３１７の当接部３１７Ｃが把持部５１２を押圧する。この為、第１コネクタ５１の傾斜が抑制され、第１突起部材２１０の根本に大きな力がかからず、破損が防止できる。
【００６１】
第２コネクタ５２をソケット２０に差し込む場合、第２コネクタ５２の把持部５２２により開閉部材３１７の当接部３１７Ｃを下方から上方に向けて押し上げながら第２コネクタ５２をソケット２０に差し込む。
【００６２】
＜第９変形例＞
図１０（Ａ）は第９変形例に係る傾斜抑制部材の他の例を示す図であり、図１０（Ｂ）は第９変形例に係る電子機器の他の例を示す図（電子機器１Ｂの背面を斜め上方から見た図）である。第９変形例は傾斜抑制部材として蓋部材３４０を使用する点で第１実施形態と異なる。第９変形例の説明において、第１実施形態と同一の構成要素については同一の符号を付し、説明を省略する。
【００６３】
蓋部材３４０は、第１コネクタ５１と当接する当接部３４０Ｃ及び蓋部材３４０と筐体１０とを結び付ける紐３６０を有しており、磁気を帯びている。ソケット２０の枠部材２６０は金属製の部分を有し、磁気を帯びている蓋部材３４０と枠部材２６０の金属製の部分とは磁力で固定可能である。
【００６４】
蓋部材３４０を、当接部３４０Ｃが第１突起部材２１０側を向く様にソケット２０に固定して、蓋部材３４０の当接部３４０Ｃが第１コネクタ５１の把持部５１２と当接する様にする。この状態において、第１コネクタ５１の把持部５１２に上向きの力が加わって、第１コネクタ５１が第２突起部材２３０側に傾斜しようとしても、蓋部材３４０がソケット２０と固定されている為、第１コネクタ５１の傾斜は抑制される。したがって、第１突起部材２１０の根本に大きな力がかからず、破損が防止できる。
【００６５】
第２コネクタ５２をソケット２０に差し込む場合、ユーザは、蓋部材３４０をソケット２０に固定せずに第２コネクタ５２をソケット２０に差し込んで、第２コネクタ５２の接続動作を完了することになる。
【００６６】
第１コネクタ５１をソケット２０に差し込む際に、ユーザは、蓋部材３４０をソケット２０に固定した状態で第１コネクタ５１を差し込んでも、第１コネクタ５１を差し込んだ後に蓋部材３４０をソケット２０に固定してもよい。蓋部材３４０とソケット２０とを磁力により固定することに代えて、蓋部材３４０をソケット２０にねじ止めする等により固定してもよい。
【００６７】
＜第１０変形例＞
図１０（Ｃ）は第１０変形例に係る傾斜抑制部材の他の例を示す図である。第１０変形例は、傾斜抑制部材としてスペーサ３５０を使用する点で第１実施形態と異なる。第１０変形例の説明において、第１実施形態と同一の構成要素については同一の符号を付し、説明を省略する。
【００６８】
スペーサ３５０は第１コネクタ５１と当接する当接部３５０Ｃを有し、第２突起部材２３０と嵌合可能な形状を有し、樹脂等の非導電性の部材で構成されている。
【００６９】
スペーサ３５０を、ソケット２０の凹部２５０に押し込んで、第２突起部材２３０と嵌合させ、スペーサ３５０は第２突起部材２３０の周辺の凹部２５０に係止される。第１コネクタ５１がソケット２０に差し込まれている場合、スペーサ３５０の当接部３５０Ｃと第１コネクタ５１の差込部５１１とはソケット２０の凹部２５０内において当接する。この状態において、第１コネクタ５１の把持部５１２に上向きの力が加わって、第１コネクタ５１が第２突起部材２３０側に傾斜しようとしても、スペーサ３５０が凹部２５０内において第１コネクタ５１に当接する為、第１コネクタ５１の傾斜は抑制される。したがって、第１突起部材２１０の根本に大きな力がかからず、破損が防止できる。
【００７０】
第２コネクタ５２をソケット２０に差し込む場合、ユーザは、スペーサ３５０を利用せずに、第２コネクタ５２をソケット２０に差し込んで、第２コネクタ５２の接続動作を完了することになる。
【００７１】
第１コネクタ５１をソケット２０に差し込む際に、ユーザは、スペーサ３５０を第２突起部材２３０と嵌合させた状態で第１コネクタ５１を差し込んでも、第１コネクタ５１を差し込んだ後にスペーサ３５０を第２突起部材２３０と嵌合させてもよい。
【００７２】
以上、本発明の好適な実施形態について説明してきたが、本発明はこれらの実施形態に限定されるものではない。例えば、ソケット２０及び第２コネクタ５２はＵＳＢ３．０規格のType-Bに準拠し、第１コネクタ５１はＵＳＢ２．０規格に準拠する例について説明したが、ソケット及びコネクタはこれらの規格に準拠するものに限らない。また、電子機器１はスキャナに限られず、電子カメラ及びスマートフォン等の組込機器など、物理的なコネクタとソケットとを使用して通信を行う機器であればよい。
【符号の説明】
【００７３】
１、１Ａ、１Ｂ    電子機器
１０、１０Ａ    筐体
２０    ソケット
３０    傾斜抑制部材
５１    第１コネクタ
５２    第２コネクタ
１１０    開口部
２１０    第１突起部材
２２０    第１端子
２３０    第２突起部材
２４０    第２端子
２５０    凹部
３１０、３１１、３１２、３１３、３１４、３１５、３１６、３１７    開閉部材
３１０Ｃ、３１１Ｃ、３１２Ｃ、３１３Ｃ、３１４Ｃ、３１５Ｃ、３１６Ｃ、３１７Ｃ  、３４０Ｃ、３５０Ｃ    当接部
３２０    移動機構
３４０    蓋部材
３５０    スペーサ
【図１】
2019087449.tif 000003
【図２】
2019087449.tif 000004
【図３】
2019087449.tif 000005
【図４】
2019087449.tif 000006
【図５】
2019087449.tif 000007
【図６】
2019087449.tif 000008
【図７】
2019087449.tif 000009
【図８】
2019087449.tif 000010
【図９】
2019087449.tif 000011
【図１０】
2019087449.tif 000012